(57)【要約】【課題】本発明は、三次元的にジグザグ状に屈曲した合成樹脂製の弾性線材層を含む積層マット材を寝具用マットの中材に使用しても、折り畳み、拡開あるいは上げ下ろし等の人的な外力に対して層毎の位置ずれを起こすことがない中材及び該中材を使用した寝具用マットを提供することを目的とする。【解決手段】  本発明に係る寝具用マット３０は、三次元的にジグザグ状に屈曲した合成樹脂製の弾性線材層としてのマット材ｂ、ｃを含む積層マット材１０を中袋ｅに収納した中材２０をカバーｄにより被覆してなるものであり、この中袋ｄにより積層マット材１０が中袋ｅ内で位置決めされ、かつ、固定される。【選択図】  図２
2009297359.tif 000002
【特許請求の範囲】
【請求項１】
少なくとも１層が三次元的にジグザグ状に屈曲した合成樹脂製の弾性線材層である積層マット材を中袋に収納して形成したことを特徴とする寝具用マットの中材。
【請求項２】
少なくとも１層が三次元的にジグザグ状に屈曲した合成樹脂製の弾性線材層である積層マット材を中袋に収納した中材をカバーにより被覆してなることを特徴とする寝具用マット。
【発明の詳細な説明】
【技術分野】
【０００１】
本発明は、中材及び該中材を使用した寝具用マットに関し、特に積層マット材を中袋に収納した中材及び該中材をカバーで被覆した寝具用マットに関する。
【背景技術】
【０００２】
下記特許文献１に示されるように、三次元的にジグザグ状に屈曲した合成樹脂製の弾性線材よりなるマット材を中材とする寝具用マットとして使用されており、クッション性を向上させるために前記マット材に種々の表層材等を積層した積層マット材を使用することが知られている。
【特許文献１】特開２００５-３１２７６５号
【発明の開示】
【発明が解決しようとする課題】
【０００３】
しかしながら、積層マット材を収納した寝具用マットは、折り畳み、拡開あるいは上げ下ろし等の人的な外力が加わって、積層マット材が層毎に位置ずれを起こすことがある。特に、三次元的にジグザグ状に屈曲した合成樹脂製の弾性線材よりなるマット材に種々の表層材等を積層した積層マット材においては前記マット材の摺動性が高い。そのために、上記特許文献１においては、接着するなどの工夫が示されているが、健康に害を与えるなどの情報が多発しているために、寝具に対する使用は回避することが望まれている。
【０００４】
本発明は、上記した実情に鑑み、三次元的にジグザグ状に屈曲した合成樹脂製の弾性線材層を含む積層マット材を寝具用マットの中材に使用しても、接着剤などの有害となるおそれのある物質を使用することなく、折り畳み、拡開あるいは上げ下ろし等の人的な外力に対して層毎の位置ずれを起こすことがない中材及び該中材を使用した寝具用マットを提供することを目的とする。
【課題を解決するための手段】
【０００５】
本発明に係る寝具用マットの中材は、少なくとも１層が三次元的にジグザグ状に屈曲した合成樹脂製の弾性線材層である積層マット材を中袋に収納して形成したことを特徴とするものである。また、本発明に係る寝具用マットは、少なくとも１層が三次元的にジグザグ状に屈曲した合成樹脂製の弾性線材層である積層マット材を中袋に収納した中材をカバーにより被覆してなることを特徴とするものである。
【０００６】
上記のように構成したことにより、中袋内で積層マット材が位置決めされ、固定される。
【発明の効果】
【０００７】
上記のように本発明に係る寝具用マットの中材及び該中材を使用した寝具用マットは、折り畳み、拡開あるいは上げ下ろし等の人的な外力に対して層毎の位置ずれを起こすことがない。
【発明を実施するための最良の形態】
【０００８】
以下、本発明に係る寝具用マット及びその中材について、添付の図面に基づき詳細に説明する。
【実施例】
【０００９】
図１は本実施例に係る寝具用マットにおいて、中袋に収納される積層マット材の概略分解斜視図であり、図２は本実施例の寝具用マットの一部切欠概略斜視図であり、図３は、本実施例の寝具用マットの一部概略断面図である。
【００１０】
図１〜図３において、ａ、ｂ、ｃはそれぞれマット材であって、これらを積層することにより積層マット材１０が形成され、これを後述する中袋ｄ内に収納することにより中材２０が形成され、この中材２０をカバーｅで被覆することにより本実施例における寝具用マット３０が形成される。
【００１１】
上記マット材ａは、六角形の網目がハニカム状に並んだ編地部を上下に備え、その上下の編地部を連結糸で連結することにより立体形状をなすものであって、厚さ約１０ｍｍ、幅約９００ｍｍ、長さ約１８００ｍｍである。なお、前記連結糸の長さがほぼ立体編地の厚みとなる。
【００１２】
上記マット材ｂは、ポリエステルを溶融紡糸により複数のノズルから線径約０．４ｍｍの中空繊維を多数本紡出し、三次元的にジグザグ状に屈曲させた弾性線材を、厚さ約３０ｍｍ、幅約９００ｍｍ、長さ約１８００ｍｍの繊維集合体に形成したものであり、空隙率が８０％以上の通気性に優れたものである。なお、上記の線径、厚み、幅、長さ及び空隙率は、これに限られるものではなく、所望の設計に応じて適宜変更されるものである。また、この弾性線材は、中空繊維であっても中実繊維であってもよい。
【００１３】
上記マット材ｃは、ポリエステルを溶融紡糸により複数のノズルから線径約０．８ｍｍの中空繊維を多数本紡出し、三次元的にジグザグ状に屈曲させた弾性線材を、厚さ約４０ｍｍ、幅約９００ｍｍ、長さ約１８００ｍｍの繊維集合体に形成したものであり、空隙率が８０％以上の通気性に優れたものである。なお、上記の線径、厚み、幅、長さ及び空隙率は、これに限られるものではなく、所望の設計に応じて適宜変更されるものである。また、この弾性線材は、中空繊維であっても中実繊維であってもよい。
【００１４】
上記マット材ａ、ｂ、ｃを積層することにより、厚さ約８０ｍｍ、幅約９００ｍｍ、長さ約１８００ｍｍの通気性の優れた積層マット材１０が構成され、下段マット材ａはやや硬く、中断マット材ｂは柔らかく、上段マット材ｃは平坦性を有していて、全体としてはクッション性を有すると共に、身体を支持するのに沈み過ぎることがない。なお、積層マット材１０の構成は前記のものに限られるものではなく、少なくとも一層が三次元的にジグザグ状に屈曲させた弾性線材による繊維集合体により形成されたマット材を含むものであればよい。
【００１５】
上記中袋ｄは、その全体が通気性の良好なメッシュ地より形成されており、高さ８０ｍｍ、幅９００ｍｍ、長さ１８００ｍｍの直方体形状の袋であって、前記積層マット材１０の大きさと同一の寸法で形成されており、この中袋ｄの内部に積層マット材１０を収納することにより、本実施例における寝具用マット３０の中材２０となる。このように中材２０を形成したことにより、中袋ｄが積層マット材１０の大きさと同一の寸法であるため、中袋ｄ内で積層マット材１０が層毎にずれ動くことがない。なお、この中袋は、前記積層マット材１０と同一寸法でで形成されているが、積層マット材１０が高さ方向に圧縮可能であることから、中袋は前記積層マット材１０より高さがやや小さめの寸法であってもよく、また、高さをやや小さめの寸法に形成するときには、中袋の高さとなる側面部を伸縮性のある生地により形成してもよい。このように中袋を形成した場合には、中袋内で積層マット材が層毎にずれ動くことをより一層規制することができる。
【００１６】
本実施例においては、積層マット材１０の通気性保持を目的としてこの中袋ｄをメッシュ地にて形成しており、メッシュ地としては、目の粗いニット地やレース地、目の粗い織物等の布帛を使用することができる。また、中袋を構成する布帛は前記のメッシュ地に限られるものではなく、通気性を保つことを目的としないのであれば、通常のニット地や織物等の布帛を使用することができ、さらに、通気性を阻止して保温性を確保するのであれば、高密度織物、厚地織物、ラミネート加工布、ゴアテックス加工布で形成してもよく、さらにまた身体から出る体液や汚水などの液体が積層マット材に侵入しないようにビニールシートで形成してもよく、またこれらの組合せを採用してもよい。
【００１７】
上記のように積層マット材１０を中袋ｄに収納して形成した中材２０をカバーｅにより被覆して寝具用マット３０が形成される。カバーｅの材質は特に限られるものではなく、寝具用のマットにおいて一般に使用されるカバーでよい。このように構成することにより、カバーｅから中材２０を取り出して、カバーｅと中材２０とを別個に洗濯あるいは乾燥することができる。
【００１８】
以上のように本実施例に係る寝具用マット３０は、三次元的にジグザグ状に屈曲した合成樹脂製の弾性線材層としてのマット材ｂ、ｃを含む積層マット材１０を中袋ｅに収納した中材２０をカバーにより被覆してなるものであり、この中袋により積層マット材１０が位置決めされ、かつ、固定されるので、本実施例に係る寝具用マット３０は、折り畳み、拡開あるいは上げ下ろし等の人的な外力に対して層毎の位置ずれを起こすことがない。
【図面の簡単な説明】
【００１９】
【図１】本発明の実施例に係る寝具用マットにおいて、中袋に収納される積層マット材の概略分解斜視図である。
【図２】本発明の実施例に係る寝具用マットの一部切欠概略斜視図である。
【図３】本発明の実施例に係る寝具用マットの一部概略断面図である。
【符号の説明】
【００２０】
ａ・・・マット材（立体編地）
ｂ・・・マット材（細径三次元ジグザグ弾性線材）
ｃ・・・マット材（太径三次元ジグザグ弾性線材）
ｄ・・・中袋
ｅ・・・カバー
１０・・積層マット材
２０・・中材
３０・・寝具用マット
【図１】
2009297359.tif 000003
【図２】
2009297359.tif 000004
【図３】
2009297359.tif 000005